【事件の表示】
　平成１０年特許願第２５５０７１号「弾球遊技機」拒絶査定不服審判事件〔平成１２年　３月２８日出願公開、特開２０００−　８４２０３〕について、次のとおり審決する。
【結　論】
　本件審判の請求は、成り立たない。
【理　由】
１．手続の経緯・本願発明
  本願は、平成１０年９月９日の出願であって、平成１１年４月２８日付の拒絶理由に対し平成１１年７月９日付で特許請求の範囲に係る手続補正がなされ、平成１２年３月２４日付で拒絶査定がなされ、これに対し同年５月１日に拒絶査定に対する審判請求がなされるとともに、同年５月３１日付で手続補正がなされたものであって、その請求項１に係る発明（以下、「本願発明」という。）は、平成１１年７月９日付の手続補正書及び平成１２年５月３１日付の手続補正書によって補正された明細書及び図面の記載からみて、特許請求の範囲の請求項１に記載された事項により特定されるとおりの、
「【請求項１】　遊技盤(4)の遊技領域(12)内に複数個の入賞領域(14)〜(19)を備え、この複数個の入賞領域(14)〜(19)の内、一部の入賞領域(14)への入賞による景品球の払出個数が他の入賞領域(15)〜(19)への入賞による景品球の払出個数と異なるようにした弾球遊技機において、複数個の各入賞領域(14)〜(19)への入賞を個別に検出する入賞検出手段(29)〜(34)を備え、各入賞領域(14)〜(19)の入賞球を遊技盤(4)の裏側で集球して外部へ排出する入賞球排出樋(47)と、各入賞領域(14)〜(19)への入賞による景品球の払出要求を記憶する払出要求記憶手段(60)と、この払出要求記憶手段(60)からの払出要求に応じた個数の景品球を払い出す景品球払出手段(39)とを備え、払出要求記憶手段(60)に、払出個数の異なる複数種類の入賞領域(14)〜(19)への入賞があったときに、その払出個数の種類別に払出要求を記憶する種類別記憶手段(62)(63)を備え、払出要求記憶手段(60)に払出個数の異なる複数種類の払出要求の記憶があったときに、種類別記憶手段(62)(63)に記憶された払出要求の内、払出個数の多い種類の払出要求を優先させて景品球払出手段(39)に景品球の払い出しを行わせるようにしたことを特徴とする弾球遊技機。」
にあるものと認める。
　
２．引用例
　原査定の拒絶の理由に引用された特開平９−７０８号公報（以下「引用例１」という）には、図面とともに以下の記載がある。
（ａ）「【請求項１】 遊技領域に打玉を打込んで遊技が行なわれる弾球遊技機であって、前記遊技領域に設けられ、打玉の入賞により払出される景品玉が互いに異なる複数種別に分類される複数の入賞領域と、該複数の入賞領域に入賞した入賞玉を検出可能な複数の入賞玉検出手段と、複数種類の個数の景品玉を払出可能な景品玉払出手段と、前記複数の入賞玉検出手段により検出された入賞玉を記憶する手段であって、当該入賞玉がどの種別に属する入賞領域への入賞玉かを前記複数種別すべてについて区別して記憶する入賞玉記憶手段と、該入賞玉記憶手段の記憶に従って前記玉払出手段により景品玉を払出す制御を行なう玉払出制御手段とを含むことを特徴とする、弾球遊技機。
【請求項２】 前記玉払出制御手段は、前記入賞玉記憶手段が、前記複数種別に属する複数の入賞領域への入賞玉を記憶している場合に、当該複数種別の入賞記憶に対応する複数種類の払出制御を順次実行することを特徴とする、請求項１記載の弾球遊技機。」
（ｂ）「【００１６】遊技領域４内には、さらに、通常の入賞口３９ａ，３９ｂが設けられている。前記始動口１９に打玉が入賞した場合には５個の景品玉が払出され、前記可変入賞球装置２１内に打玉が入賞した場合には１５個の景品玉が払出され、それ以外の入賞口に打玉が入賞した場合には７個の景品玉が払出される。」
（ｃ）「【００１８】図２は、遊技盤の裏面構造を示す背面図である。遊技盤の裏面側には、前述した各種の入賞領域から入賞した入賞玉を誘導して集合させる入賞玉集合カバー体４７が設けられている。この入賞玉集合カバー体４７には、入賞玉を誘導するための誘導通路４８ａ，４８ｂ，５０ａ，５０ｂ，５１が設けられている。そして、入賞口７，３９ａ，３９ｂに入賞した入賞玉が誘導通路４８ａ，４８ｂ，５０ａ，５０ｂにより誘導され、可変入賞球装置２１に入賞した入賞玉が誘導通路５１により誘導される。誘導通路４８ａ，４８ｂで誘導されてきた入賞玉は入賞情報スイッチ４９ａ，４９ｂにより検出される。図中５は可変表示装置であり、４４はアウト口であり、３６ａ，３６ｂは始動口である。その始動口３６ａ，３６ｂに入賞した始動入賞玉が始動玉検出器３６ｄ，３６ｃにより検出される。」
（ｄ）「【００２４】図５は、景品玉を払出すための機構を示す構成図である。入賞玉集合カバー体４７により集合された入賞玉が入賞玉集合樋８０上に落下して入賞玉誘導通路８１に導かれる。その入賞玉誘導通路８１で誘導されてきた入賞玉は入賞玉流下路１１２を通って入賞玉処理装置１１０の玉送り部材１１５のところまで流下する。そして玉送り部材１１５により入賞玉の流下が阻止され、その状態で入賞玉が入賞玉検出器１１３により検出される。そして、その入賞玉に基づいて所定個数の景品玉の払出しが行なわれて後述するようにソレノイド１２０が励磁されて玉送り部材１１５が玉開放姿勢に切換えられてそれまで流下阻止されていた入賞玉がａの矢印で示すように下方に流下して機外に排出される。」
（ｅ）「【００７１】（３） 玉払出制御回路基板１００に設けられている玉払出制御回路により、後述する入賞玉記憶手段の記憶に従って前記玉払出手段により景品玉を払出す制御を行なう玉払出制御手段が構成されている。遊技制御回路基板９９に設けられている遊技制御回路により、遊技機の遊技状態を制御する遊技制御手段が構成されている。この遊技制御手段は、前記玉払出制御手段から送信されてきた入賞情報に従って、その入賞に伴って払出すべき景品玉の個数を特定する賞球情報を前記玉払出制御手段に出力する。入賞個数カウンタ１３１により、前記入賞玉検出手段により検出された入賞玉を一時的に記憶する入賞玉記憶手段が構成されている。この入賞玉記憶手段は、入賞玉検出手段（ＳＷ２〜ＳＷ４）による入賞玉の検出に応じて種別毎に加算記憶するとともに、前記遊技制御手段から前記賞球情報が出力された後、その賞球情報に対応する入賞玉の記憶を消去、すなわち、種別毎に記憶されている入賞玉数から減算する。なお、この入賞記憶手段による入賞玉の記憶の消去は、前記玉払出手段による景品玉の払出動作が完了した後記憶の消去を行なうようにしてもよい。・・・・」
（ｆ）上記（ｅ）には、「この入賞玉記憶手段は、入賞玉検出手段（ＳＷ２〜ＳＷ４）による入賞玉の検出に応じて種別毎に加算記憶する」と記載されていることから、入賞玉記憶手段は、払出される景品玉が互いに異なる種別毎の記憶手段を有していることは、当業者にとって明らかである。
　
　これらの記載によれば、引用例１には、次の発明が記載されていると認められる。
「遊技領域４に設けられ、打玉の入賞により払出される景品玉が互いに異なる複数種別に分類される複数の入賞領域を含む弾球遊技機であって、
該複数の入賞領域に入賞した入賞玉を検出可能な複数の入賞玉検出手段と、
各種の入賞領域から入賞した入賞玉を集合させて誘導し機外に排出させる入賞玉集合カバー体４７、入賞玉集合樋８０及び入賞玉誘導通路８１と、
入賞玉がどの種別に属する入賞領域への入賞玉かを前記複数種別すべてについて記憶する入賞玉記憶手段と、
この入賞玉記憶手段の記憶に従って景品玉を払出可能な景品玉払出手段とを含み、
入賞玉記憶手段に、払出される景品玉が互いに異なる種別毎の記憶手段を含み、
入賞玉記憶手段に、前記複数種別に属する複数の入賞領域への入賞玉を記憶している場合に、種別毎の記憶手段の記憶のうち、当該種別の入賞記憶に対応する複数種類の払出制御を順次実行する弾球遊技機。」（以下「引用例１記載の発明」という。）
　
３．対比
　本願発明と引用例１記載の発明とを対比する。
（ａ）引用例１記載の発明における「遊技領域に設けられ、打玉の入賞により払出される景品玉が互いに異なる複数種別に分類される複数の入賞領域を含む弾球遊技機」は、本願発明における「遊技盤の遊技領域内に複数個の入賞領域を備え、この複数個の入賞領域の内、一部の入賞領域への入賞による景品球の払出個数が他の入賞領域への入賞による景品球の払出個数と異なるようにした弾球遊技機」に対応する。
（ｂ）引用例１記載の発明における「複数の入賞領域に入賞した入賞玉を検出可能な」、「入賞玉検出手段」は、それぞれ、本願発明における「複数個の各入賞領域への入賞を個別に検出する」、「入賞検出手段」に対応する。
（ｃ）引用例１記載の発明における、「各種の入賞領域から入賞した入賞玉を集合させて誘導し機外に排出させる」、「入賞玉集合カバー体、入賞玉集合樋及び入賞玉誘導通路」は、それぞれ、本願発明における「各入賞領域の入賞球を遊技盤の裏側で集球して外部へ排出する」、「入賞球排出樋」に対応する。
（ｄ）引用例１記載の発明における「入賞玉記憶手段」は、その記憶に従って景品玉の払出制御を行っていることから、本願発明の「入賞による景品球の払出要求を記憶する払出要求記憶手段」に対応し、また、引用例１記載の発明における「景品玉払出手段」は、「入賞玉記憶手段の記憶に従って景品玉を払出可能な」構成とされていることから、本願発明における「払出要求記憶手段からの払出要求に応じた個数の景品球を払い出す景品球払出手段」に対応する。
（ｅ）引用例１記載の発明における、「払出される景品玉が互いに異なる種別毎の記憶手段」は、本願発明の、「払出個数の異なる複数種類の入賞領域への入賞があったときに、その払出個数の種類別に払出要求を記憶する種類別記憶手段」に対応する。
　
　よって、本願発明と引用例１記載の発明は、
「遊技盤の遊技領域内に複数個の入賞領域を備え、この複数個の入賞領域の内、一部の入賞領域への入賞による景品球の払出個数が他の入賞領域への入賞による景品球の払出個数と異なるようにした弾球遊技機において、複数個の各入賞領域への入賞を個別に検出する入賞検出手段を備え、各入賞領域の入賞球を遊技盤の裏側で集球して外部へ排出する入賞球誘導部材と、各入賞領域への入賞による景品球の払出要求を記憶する払出要求記憶手段と、この払出要求記憶手段からの払出要求に応じた個数の景品球を払い出す景品球払出手段とを備え、払出要求記憶手段に、払出個数の異なる複数種類の入賞領域への入賞があったときに、その払出個数の種類別に払出要求を記憶する種類別記憶手段を備えた弾球遊技機。」
である点で一致し、以下の点で相違する。
＜相違点＞
　景品球の払い出しを行うにあたって、本願発明では、払出要求記憶手段に払出個数の異なる複数種類の払出要求の記憶があったときに、種類別記憶手段に記憶された払出要求の内、払出個数の多い種類の払出要求を優先させて景品球払出手段に景品球の払い出しを行わせるのに対して、引用例１記載の発明では、そのような構成になっていない点。
　
４．相違点についての判断
　上記相違点について検討する。
　複数種類の払出要求の記憶があったときに、種類別記憶手段に記憶された払出要求のうち、どのような種類の払出要求を優先させるかは当業者の設計的事項程度のことであり、払出個数の多い種類の払出要求を優先させて景品球払出手段に景品球の払い出しを行わせることも、本願出願前周知の事項（必要あれば、特開平１０−４３３９１号公報（特許請求の範囲、段落０００４）、特開平６−３０４３１８号公報（特許請求の範囲、段落０００４）、特開平６−３０４３１７号公報（段落００３８）等参照）である。
　よって、上記相違点に係る本願発明の構成は、引用例１記載の発明に上記本願出願前周知の事項を適用し、当業者が容易に想到し得たものというべきである。
　そして、本願発明によって奏する効果も、引用例１記載の発明及び本願出願前周知の事項から、普通に予測できる範囲内のものであって、格別なものということができないから、本願発明は、引用例１記載の発明及び本願出願前周知の事項に基づき当業者が容易に発明をすることができたものと云わざるを得ない。
　
５．むすび
　したがって、本願発明は、特許法第２９条第２項の規定により、特許を受けることができないものであり、本願の他の請求項に係る発明を検討するまでもなく本願は拒絶すべきものである。
　よって結論のとおり審決する。